(57)【要約】      （修正有）【課題】スイング打撃で、ボールの芯に当った時と、はずれた時とでボールの行き先を視認でき、ゴルフ等の上達向上を行う練習装置を提供する。【解決手段】ゴルフボールをゴルフクラブで打って飛ばすのではなく、スタート台にゴルフボールを置き、クラブ部材に弾性体を装着した打撃用具でスイングして振り抜くとともに、弾性体をボールに当て弾性体の変形によりボールをころがし隣接させた進入口のＶ字形状としたガイド上に、ボールを正確に乗せ通路上を進行させ、望ましくはボールが反転移動し戻る機能を有し、又反転機能をなくし面状体を設置し面状体に向かってアプローチ練習が出来る。ボールがころがることにより、危険がなく安全で、ボールの方向を確認出来、設備が簡単かつ用具費用が安価で、大人も含め子供達が室内等狭い空間でゴルフボールを打撃し練習することで技能向上を得る。【選択図】図１
2015051255.tif 000002
【特許請求の範囲】
【請求項１】
ボールを設置するスタート台と、ボールが一端から他端までころがり移動し、側面部に前記ボールがはみ出る開放部を有する直線状のガイド通路と、握り部と反対側の一端に変形する弾性部材を設けたクラブ部材とを備え、前記ガイド通路の一端に前記スタート台を隣接させ、前記スタート台に設置した前記ボールに、前記クラブ部材を握りスイングして前記弾性部材を当て、前記クラブを振り抜くことにより前記弾性部材を変形させ、前記ボールをスタート台上より移動させた後、前記ボールが前記一端から前記他端に移動する又は、前記開放部からはみ出ることを特微とするゴルフ練習装置。
【請求項２】
ガイド通路が、２本のパイプ状部材からなり、ボールが前記２本のパイプ状部材の上をころがることを特微とする請求項１記載のゴルフ練習装置。
【請求項３】
ガイド通路が、隣接したスタート台よりボールをころがし、ガイドゴム部材の一端を並接させ、Ｖ字形状とした進入口からなり、これにボールを乗せ進行させることを特微とする請求項１記載のゴルフ練習装置
【請求項４】
ガイド通路の他端を上方に傾け、ボールが一端から他端にころがり反転移動することを特微とする請求項１記載のゴルフ練習装置。
【請求項５】
ガイド通路の他端に、面状体を設置し、一端からのボールを前記面状体上を移動させることを特微とする請求項１記載のゴルフ練習装置。
【発明の詳細な説明】
【技術分野】
【０００１】  本発明はゴルフ愛好家、一般家庭の子供等のゴルフ練習に適し、新たな競技も可能な練習装置に関する。
【背景技術】
【０００２】  今迄のゴルフ打撃は、唯もが簡単に習得するのが難しく用具やゴルフ練習場、ゴルフ場と費用が高額で初心者が容易にゴルフを始めることが出来なかった。又室内の打撃は危険が多く、室内の短かい距離で打つ打球は、スイングが良くても悪くても初動の軌道は直線的に同じように飛び、その後悪いスイングでは、回転方向により実際は色々な方向へ飛ぶ打球の行く先を見ることが出来ないため正確に打つゴルフ打撃の向上が計れなかった。【０００３】  今回、本発明者が出願した特許第５２５７７２１号の打撃用具でゴルフボールを打撃すると、打撃によってボールのころがり方が異なることを発見し、ロールゴルフ（ころがるゴルフ）と名称を考案した。打撃用具の考えに基づくクラブ部材を用いて本発明のロールゴルフ練習装置を使い、前記クラブ部材でスイングをし振り抜くとともにボールを打撃し、ボールをガイド通路にのせる練習を行うことでゴルフ上達の可能性を高めることが出来る。【０００４】  前記ロールゴルフとは、飛ばすゴルフとは発想を逆転し距離を競わず方向性を重視して、フルスイングをしてもボールが飛ばずにころがり、飛ぶ距離を競うゴルフではない新しい一つの競技として発展する可能性も有る。【０００５】  本発明のゴルフ練習装置を使ったゴルフボール打撃は、広大なゴルフ場を室内等狭い空間に再現したもので、それを可能にしたのは弾性体を装着したクラブ部材でゴルフボールを打つと打撃に応じてボールのころがる方向が異なるロールゴルフを発見したことによるもので、パターゴルフの用具とは機能、構成が違うものである。又室内でスクリーンにゴルフボールを打撃し、コンピューターで打撃球を画像判定し、スクリーン上に仮想ボールと飛ばすスクリーンゴルフが有るが、ボールはスクリーン迄の短かい距離を飛ぶのみであり、その後の軌道の判定精度は高くない。本発明を使用したゴルフボール打撃では、打撃したボールがガイド通路上を移動し、上記スクリーンゴルフのように打撃したボールが仮想ボールに変わることなく、最後迄ボールの移動を視認出来る構成である。望ましくは、反転機構を設けることにより、より狭い空間で打撃の良否判定が可能となる。
【先行技術文献】
【０００６】
【特許文献１】特許第５２５７７２１号
【０００７】
【特許文献２】特開２００８−４３５１９号公報
【０００８】
【非特許文献１】ゴルフダイジェスト第５３巻第５号平成２５年５月２１日発行  下半身リード究極のコツＰＰ２２〜３９
【発明の概要】
【発明が解決しようとする課題】
【０００９】従来有していた問題を解決しようとするものであり、スイング打撃で、ボールの芯に当った時と、はずれた時とでボールの行き先を視認でき、ゴルフ等の上達向上を行うことを目的にしたものである。
【課題を解決するための手段】
【００１０】  そして本発明は上記目的を達成するため請求項１記載のとおりボールが一端から他端までにころがり移動し、側面部に前記ボールがはみ出る開放部を有する直線状のガイド通路と、握り部と反対側の一端に変形する弾性部材を設けたクラブ部材とを備え、前記ガイド通路の一端に設置した前記ボールに、前記クラブ部材を握りスイングして前記弾性部材を当て、前記クラブを振り抜くことにより前記弾性部材を変形させ、前記ボールが前記一端から前記他端に移動する又は、前記開放部からはみ出る構成とし、他端の上方への傾きにより反転移動をすることも可能である。又上記傾きを直線状態にして面状体を設置し、一端からのボールを前記面状体に移動させることも可能である。上記構成は、狭い空間で広大なゴルフコースを再現したもので、フェアウエイ中央とした進入口のＶ字形状をしたガイド通路に、正確に打撃出来たボールだけがガイド通路を
2015051255.tif 000003
【発明の効果】
【００１１】上述したように従来の室内等狭い空間の打撃練習装置は、打撃の良し悪しが判定出来なかった。本発明は弾性部材を装着したクラブ部材を振り抜く、いわゆるフルスイングをしてもボールをころがすロールゴルフが可能であるため、とらえた打撃にて正確にガイド通路に通すことが出来る。ゴルフの上達には、ボールの芯を下半身リードの身体全体を使った、基本スイングの反復練習が大事であるから、本発明の装置を用いてこの基本スイングである体幹（胴体部分）を使った練習で体感し、ゴルフスイングの上達が可能となる。今迄ゴルフスイングの理論である、下半身リードの体幹を使ったスイングを体感出来る装置、用具が少なく理解習得が出来なかったが、本発明のゴルフ練習装置と打撃用具で体感する手助が出来る。本発明のゴルフ練習装置は、広大なゴルフコースを狭い空間に再現しようとしたもので、これを可能にしたのは弾性部材をクラブ部材に装置した用具で、ゴルフボールを打撃し、ボールを飛ばさず打撃感を得て、ころがすことで通常ゴルフ打撃のような危険をなくし、簡易な装置、用具が狭い空間で安全に、子供達の唯もがロールゴルフを始めることが出来、ゴルフスイングの理解習得を可能とするものである。
先行文献２のゴルフパター用練習機は、パターでゴルフボールをストロークした時に、パターを誘導させパターストロークの矯請をするものであり、本発明は、スタート台よりボールを打撃し、進入口がＶ字形状をしたガイド通路（たとえば２本のパイプ状部材）に、ころがったボールはそのまま進むことが出来、そうでないボールは進入することが出来ず、開放部より転落する構成であり平坦部のスタート台より、進入口がＶ字形状をしたガイド通路に乗せ進めるもので、ストロークの矯請をするものではなく、上記ゴルフ等の上達向上を目的にしたものである。
【図面の簡単な説明】
【００１２】
【図１】本発明の実施形態を示すゴルフ練習装置で、本発明の一実施形態（第１実施）の全体の概要構成（定状態）を示す図
【図２】同装置の（第２実施）の全体の概要構成を示す図
【図３】同装置のガイド通路の態様図
【図４】同装置のフレキシブル部材の態様図
【図５】同装置のガイド通路の支持台の態様図
【図６】同装置のガイド通路の支持台の態様図
【図７】同装置の面状人工芝部材の支持部材の態様図
【図８】同装置の面状人工部材の平面図
【図９】同装置の面状人工部材の側面図
【図１０】同装置のスタート台の分割図
【図１１】同装置のゴルフ打撃態様図
【図１２】同装置のゴルフ打撃態様図
【図１３】同装置の打撃後のゴルフボール直進態様図
【図１４】同装置の打撃後のゴルフボール右側面部より転落態様図
【図１５】同装置の打撃後のゴルフボール左側面部より転落態様図
【図１６】同装置の打撃後の反転移動ゴルフボール態様図
【図１７】打撃用具の第１の態様図
【図１８】打撃用具の第２の態様図
【図１９】打撃用具の第３の態様図
【図２０】打撃用具の第４の態様図
【発明を実施するための形態】
【００１３】  本発明のゴルフ練習装置と打撃用具の実施形態を図面に基づいて説明する。
（第１実施例）
図１は本ゴルフ練習装置の一実施形態（第１実施例）を示す。
図において図１はゴルフ練習装置の全体の構成を示し、図３〜図２０は各部分構成を示す。図に示すように本実施形態のゴルフ練習装置は、ゴルフボール５０を設置するスタート台として鋼性部材５に木製部材３と人工芝部材４を乗せた構成とし、ガイド通路としてフレーム７でガイドゴム部材１と接続し、通路パイプ部材２をフレーム７で支持台のパイプ部材９に接続し、パイプ部材９と鋼性部材１１を調整ボルト６ｂで取り付け、フレキシブル部材１０を通路パイプ部材２に接続し、フレキシブル部材１０の曲線を調整可能とした構成である。スタート台とガイド通路を隣接させ、スタート台も上下、左右に角度を調整する機能を有し、木製部材３をゴム板部材の使用を可能とした構成である。
【００１４】  図３は本発明のゴルフ練習装置の、一端が並接された進入口の形状をＶ字形状としたガイドゴム部材１と、通路パイプ部材２をフレーム７でスタート台と支持台に接続する構成である。
【００１５】  図４は通路パイプ部材２に接続ピン１３を挿入し、フレキシブル部材１０と接続する構成である。
【００１６】  図５は通路パイプ部材２をフレーム７に取り付ける支持台のパイプ部材９とし、調整ボルト６ｂで鋼性部材１１の角度調整を可能とした構成である。
【００１７】  図６は上記支持台の上方に向いた鋼性部材１１を、調整ボルト６ｂで角度調整し直線状態にしたフレキシブル部材１０を支持する構成である。
【００１８】  図７は面状人工芝部材１２の支持台で鋼性部材１４に接続穴１５を有した態様図である。
【００１９】  図８は面状人工芝部材１２の態様図である。
【００２０】  図９は面状人工芝部材１２の高低を示す態様図である。
【００２１】  図１０はスタート台を分割して示す図で、鋼性部材５の上に木製部材３を乗せその上に人工芝部材４を乗せスタート台とし、調整ボルト６ｃで上下の角度調整が出来、調整ボルト６ａで前上がり、前下がりと角度調整も出来る機能を有し色々な設定を可能とし上記木製部材３を、ゴム板部材の使用も可とする構成である。
【００２２】  図１１は本発明のゴルフ練習装置のスタート台（３、４）にゴルフボール５０を置き、打撃用具（部材１９、部材２０、部材２２）をトップ位置に振り上げた態様を示す図である。
【００２３】  図１２は上記図のトップ位置からスイングし、ゴルフボール５０を打撃用具にて打撃している態様を示す図で、図に示すように力を使わず下半身でリードし、全身を使ってスイングしボール５０の芯に当て振り抜き、ボール５０をガイドゴム部材１のＶ字形状とした進入口に乗せ直進させる。このとき、弾性部材である同軸ケーブル部材２０（たとえば図１２に示す）は変形し、ボール５０を飛ばすことなく前にころがすことになる。
【００２４】  図１３は打撃用具でゴルフボール５０を打ち、正しく芯を打ったボール５０がガイドゴム部材１のＶ字形状とした進入口に乗り直進する態様を示す。
【００２５】  図１４は打撃用具でゴルフボール５０を打ち、ボール５０が右方向に曲がり側面から転落した態様を示す。
【００２６】  図１５は打撃用具でゴルフボール５０を打ち、ボール５０が左方向に曲がり側面から転落した態様を示す。図１４、１５は打撃用具がボール５０の芯をとらえていない状態といえる。
【００２７】  図１６は１２図の打撃後、フィニィシュ迄で打撃用具を身体全体を使い振り上げ、ガイドに直進出来たボール５０が反転移動し戻る機能を有した態様を示し、正しいスイングでゴルフボール５０の芯をとらえた時の状態で、練習者のボールのころがりが強くて装置内の移動で治まらない時は、打撃用具の弾性体の弾性度の高い弾性部材を選択し、ころがりの調整を可能とすることが出来、装置の全長を１４００ｍｍとするが、目的に応じて適宜全長を変えることも可能である。
【００２８】  図１７は（第１の打撃用具）シャフト部材２０に、グリップゴム部材１９を手元側に装着してクラブ部材とし、先端に同軸ケーブル部材２２の弾性部材をループ状に線材２１で装着し、ゴルフボールを打撃してもボールが飛ばずころがる機能を有する構成である。
【００２９】  図１８は（第２の打撃用具）上記の打撃用具として、同軸ケーブル部材２２を袋状スポンジラバー部材２３に収納した弾性部材であって、線材２１で装着し、初心者、子供等に使い易く上記機能も有した構成である。
【００３０】  図１９は（第３の打撃用具）上記クラブ部材にロープ部材２４の弾性部材を線材２１でルプ状に装着し上記機能を有するが、ころがりが悪い為上級者向きである。
【００３１】  図２０は（第４の打撃用具）上記クラブ部材に同軸ケーブル部材の弾性部材を単線状に線材２１で装着し、図１７のループ状弾性部材よりころがりを悪くするもので、素材やループ状、単線状と仕様を変えることでころがりを容易に調整でき、力量に応じた打撃用具が選択出来る。
上記構成は、ティグランドがスタート台、フェアウエイ中央が、ガイド通路（２本のパイプ部材）としゴルフ場を具現化したもので、スタート台よりボール５０を打撃しフェアウエイ中央とした目標空間のガイド通路（２本のパイプ部材９）にころがし進め、反転移動の作用が強制反転ではなく、フレキシブル部材１０を上方に傾け角度調整を自在とし、自然反転させ通常ゴルフ打撃で空中に打ち出し、空気の抵抗を受け減速し落下するように、装置内での減速を可能にしたもので、反転移動の作用とで空間の縮小を可能にしたものである。
【００３２】（第２実施例）
図２は本ゴルフ練習装置の（第２実施例）を示し、本ゴルフ練習装置の適用例を示す。図において調整ボルト６ｂを調整し鋼性部材１１とフレキシブル部材を直線状にし、鋼性部材１４の接続穴１５と鋼性部材１１の接続穴１８を調整ボルト６ａで取り付け面状人工芝部材１２を上に乗せ、ゴルフボールを打撃し、直進したボールがころがり登り、ボールの停止位置を競うことが出来調整ボルト６ａで角度調整し登り下りと斜度を可変可能とする構成である。
上記構成は、ゴルフコースのアプローチを想定し広い空間を必要としない室内等狭い空間で仮想ヤード設定をし、１打で乗せるか、２打で乗せるか、それに合わせて上記の打撃用具の第１〜第４の用具を選択し、面状人工芝部材１２に乗せることを目標にして打撃することで、色々なコース設定を可能としたものである。
上記機能は、通常のゴルフ打撃とは逆の機能で、飛ばさず、ころがりを打撃用具で調整出来、設定を変えることで色々なコースを具現し、安全に唯でもがプレイヤ練習を楽しむことが出来る。
スタート台の調整や、面状人工芝部材の設置等色々な機能で異なるコース設定を可能とし、打撃用具も弾性度の異る弾性部材を装着したクラブ部材を選択出来、ボールも大きさ、素材（ゴム製から鋼製迄）等を選択し、打撃したボールの移動を制限調整することで通常ゴルフの広大な空間にボールを打つように装置内でボールの移動を可能とし、唯でもが簡易にゴルフスイングの練習をし、打数を競うプレイも安全に出来ることを可能とした構成である。
【産業上の利用可能性】
【００３３】  ゴルフ打撃は正確な打撃が要求される為大変難しく、又用具やゴルフ練習場、ゴルフ場と費用が高額な為容易に初心者等の唯もが始めることが出来なかった。本発明の装置を用い、ゴルフ打撃に重要とされる下半身リードで力を使わず、身体全体を使ったスイングで反復練習し、ゴルフ打撃を理解習得することで難しいゴルフも始め易く技術向上も可能である。【００３４】  今後少子化等ゴルフ人口も減少し、ゴルフ関係の産業の衰退が予想され、これを防ぐには将来有る子供等の唯もが安全なロールゴルフで上記基本スイングをマスターし、通常のゴルフへと進めば才能ある人材の発掘につながり、ゴルフ人口を増やし上記ゴルフ産業の発展に寄与することが出来る。又ロールゴルフを一つの競技としてゴルフとは違った子供等や障害者等を含む唯もが屋外で安全にプレイして楽しむことも可能で、室内競技として本発明の練習装置で広大なゴルフ場のような施設が要らず、打数を競う競技を楽しむことも可能であり、ボールの重さ、大きさを可変として難易度を変えることができる。
【符号の説明】
【００３５】１．ガイドゴム部材
２  通路パイプ部材
３  木製部材
４  人工芝部材
５  鋼製部材
６ａ  調整ボルト
５０  ゴルフボール
【図１】
2015051255.tif 000004
【図２】
2015051255.tif 000005
【図３】
2015051255.tif 000006
【図４】
2015051255.tif 000007
【図５】
2015051255.tif 000008
【図６】
2015051255.tif 000009
【図７】
2015051255.tif 000010
【図８】
2015051255.tif 000011
【図９】
2015051255.tif 000012
【図１０】
2015051255.tif 000013
【図１１】
2015051255.tif 000014
【図１２】
2015051255.tif 000015
【図１３】
2015051255.tif 000016
【図１４】
2015051255.tif 000017
【図１５】
2015051255.tif 000018
【図１６】
2015051255.tif 000019
【図１７】
2015051255.tif 000020
【図１８】
2015051255.tif 000021
【図１９】
2015051255.tif 000022
【図２０】
2015051255.tif 000023
【手続補正書】
【提出日】平成26年6月8日(2014.6.8)
【手続補正１】
【補正対象書類名】特許請求の範囲
【補正対象項目名】全文
【補正方法】変更
【補正の内容】
【特許請求の範囲】
【請求項１】
ボールを設置し、上下、前上がり、前下がりと角度調整出来るスタート台と、ボールが一端から他端までころがり移動し、前面のガイド通路を挟んだ側面部に、前記ボールがはみ出る開放部を有する直線状のガイド通路と、握り部と反対側のシャフト部材の先端に装着され変形する弾性部材を設けたクラブ部材とを備え、前記ガイド通路の一端に前記スタート台を隣接させ、前記スタート台に設置した前記ボールに、前記クラブ部材を握りトップ位置からスイングして前記弾性部材を当て、前記クラブを振り抜くことにより前記弾性部材を変形させ、スタート台より移動させた後前記ボールが前記一端から前記他端に移動する又は前記スタート台の前面からはみ出ることを特徴とするゴルフ練習装置。
【請求項２】
ガイド通路が、２本のパイプ状部材からなり、ボールが前記２本のパイプ状部材の上をころがることを特徴とする請求項１記載のゴルフ練習装置。
【請求項３】
ガイド通路の一端にＶ字状の進入口となる並接されたガイドゴム部材を設けたことを特徴とする請求項１記載のゴルフ練習装置。
【請求項４】
ガイド通路の他端を上方に傾け、ボールが一端から他端にころがり反転移動することを特微とする請求項１記載のゴルフ練習装置。
【請求項５】
ガイド通路の他端に、面状体を設置し、一端からのボールを前記面状体上を移動させることを特徴とする請求項１記載のゴルフ練習装置。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
ボールを設置し、上下、前上がり、前下がりと角度調整出来るスタート台と、ボールが一端から他端までころがり移動し側面部に、前記ボールがはみ出る開放部を有し、前記スタート台と別体の直線上のガイド通路と、握り部と反対側のシャフト部材の先端に装着され単線状又はループ状又は同軸ケーブル部材を袋状スポンジラバー部材に収納した変形する弾性部材とを備え、前記弾性部材の一部が前記シャフト部材の先端に固定され、前記弾性部材の前記単線状又はループ状部分又は同軸ケーブル部材を袋状スポンジラバー部材に収納した部分が前記シャフト部材の先端から突出し、前記ガイド通路の一端に前記スタート台を隣接させ、前記スタート台に設置した前記ボールに前記クラブ部材を握りトップ位置からスイングして前記弾性部材の単線状又はループ状部分又は同軸ケーブル部材を袋状スポンジラバー部材に収納した部分を当て前記クラブを振り抜くことにより前記弾性部材を変形させ、スタート台より移動させた後前記ボールが前記一端から前記他端に移動する又は、前記スタート台の前面からはみ出ることを特徴とするゴルフ練習装置。
【請求項２】
ガイド通路が、２本のパイプ状部材からなり、ボールが前記２本のパイプ状部材の上をころがることを特徴とする請求項１記載のゴルフ練習装置。
【請求項３】
ガイド通路の一端にＶ字状の進入口となる並接されたガイドゴム部材を設けたことを特徴とする請求項１記載のゴルフ練習装置。
【請求項４】
ガイド通路の他端を上方に傾け、ボールが一端から他端にころがり反転移動することを特徴とする請求項１記載のゴルフ練習装置。
【請求項５】
ガイド通路の他端に面状体を設置し、一端からのボールを前記面状体上を移動させることを特徴とする請求項１記載のゴルフ練習装置。